(57)【特許請求の範囲】
【請求項１】
前面に開口が形成された冷蔵庫本体と、前記開口を閉鎖する扉と、を備え、
前記扉は、前方に配置される前面板材と、前記前面板材に内側から組み込まれる内側板材と、前記前面板材と前記内側板材で囲まれる空間に充填される断熱材と、前記前面板材の側面側に配設されたハンドル部と、を有し、
前記ハンドル部は、前記扉の内側に向かって窪む凹状部が形成された把持部と、前記把持部を前面から覆うカバー部と、を有し、
前記カバー部の長手方向に於ける両端部付近には、係合爪が形成され、
前記把持部の長手方向に於ける両端部付近には、前記カバー部の前記係合爪が係合する係合受部が形成され、
前記前面板材の端部が、前記把持部と前記カバー部で挟持されることを特徴とする冷蔵庫。
【請求項２】
前記カバー部の長手方向に於ける中間部分には、中間係合爪が形成され、
前記把持部の長手方向に於ける中間部分には、前記中間係合爪が係合する中間係合受部が形成されることを特徴とする請求項１に記載の冷蔵庫。
【請求項３】
前記カバー部の前記中間係合爪は、第１中間係合爪と、前記第１中間係合爪とは逆方向に突出する第２中間係合爪と、を有し、
前記把持部の前記中間係合受部は、前記第１中間係合爪が係合する第１中間係合受部と、前記第２中間係合爪が係合する第２中間係合受部と、を有することを特徴とする請求項２に記載の冷蔵庫。
【請求項４】
前記カバー部は、前記係合爪の内側面から内側に向かって突出するリブを有することを特徴とする請求項１から請求項３の何れかに記載の冷蔵庫。
【請求項５】
前記リブは、前記係合爪の両端に複数形成されることを特徴とする請求項４に記載の冷蔵庫。
【発明の詳細な説明】
【技術分野】
【０００１】
本発明は、貯蔵室内に食品等を冷却保存する冷蔵庫に関し、特に、ユーザが操作するハンドルが扉に備えられた冷蔵庫に関する。
【背景技術】
【０００２】
一般的な冷蔵庫では、断熱性を有する冷蔵庫本体の内部に、冷蔵室、冷凍室、野菜室等の各貯蔵室が形成され、これら貯蔵室は前方から断熱性を備えた扉で閉鎖されている。また、ユーザの利便性を向上するために、扉にハンドルを備えた冷蔵庫もある。
【０００３】
特許文献１に、この種の冷蔵庫が備える扉が記載されている。図１３に、この種の冷蔵庫に備えられる扉１００を示す。この図では、扉１００を構成する各部材を離して示している。扉１００は、後方から、内板１０１、外板１０２、樹脂製パネル１０３を備えている。また、外板１０２の上端部分および下端部分には、樹脂製キャップ１０９が嵌め込まれる。
【０００４】
ハンドル１０４は、樹脂製パネル１０３の前面に配置され、ベースハンドル１０５、補強ハンドル１０６および化粧ハンドル１０７から構成されている。また、ハンドル１０４は、樹脂製パネル１０３および外板１０２を貫通する図示しない締結手段を介して、固定部材１０８に対して固定されている。かかる構成により、ハンドル１０４を組み込んでも、樹脂製パネル１０３が歪むことが無く、扉１００の意匠性が損なわれることが無い。
【先行技術文献】
【特許文献】
【０００５】
【特許文献１】特開２００４−２７８８９１号公報
【発明の概要】
【発明が解決しようとする課題】
【０００６】
しかしながら、上記した特許文献１に記載された冷蔵庫用の扉１００では、ハンドル１０４を構成する部品点数が増加する課題があった。具体的には、扉１００の本体に対してビス等の締結手段を介してハンドル１０４が固定されていたため、このビスなどを隠すための化粧ハンドル１０７が必要と成り、多数の部材からハンドルが構成されていた。また、ハンドルを締結するための固定部材１０８が扉本体側に必要になることによっても、扉１００を構成するための部品点数が増加する課題が生じていた。
【０００７】
本発明は、上記の事情に鑑みてなされたものであり、その目的とするところは、ビス等の締結手段を用いること無くハンドル部が扉に対して固定された冷蔵庫を提供することにある。
【課題を解決するための手段】
【０００８】
本発明の冷蔵庫は、前面に開口が形成された冷蔵庫本体と、前記開口を閉鎖する扉と、を備え、前記扉は、前方に配置される前面板材と、前記前面板材に内側から組み込まれる内側板材と、前記前面板材と前記内側板材で囲まれる空間に充填される断熱材と、前記前面板材の側面側に配設されたハンドル部と、を有し、前記ハンドル部は、前記扉の内側に向かって窪む凹状部が形成された把持部と、前記把持部を前面から覆うカバー部と、を有し、前記カバー部の長手方向に於ける両端部付近には、係合爪が形成され、前記把持部の長手方向に於ける両端部付近には、前記カバー部の前記係合爪が係合する係合受部が形成され、前記前面板材の端部が、前記把持部と前記カバー部で挟持されることを特徴とする。
【０００９】
更に本発明の冷蔵庫は、前記カバー部の長手方向に於ける中間部分には、中間係合爪が形成され、前記把持部の長手方向に於ける中間部分には、前記中間係合爪が係合する中間係合受部が形成されることを特徴とする。
【００１０】
更に本発明の冷蔵庫は、前記カバー部の前記中間係合爪は、第１中間係合爪と、前記第１中間係合爪とは逆方向に突出する第２中間係合爪と、を有し、前記把持部の前記中間係合受部は、前記第１中間係合爪が係合する第１中間係合受部と、前記第２中間係合爪が係合する第２中間係合受部と、を有することを特徴とする。
【００１１】
更に本発明の冷蔵庫は、前記カバー部は、前記係合爪の内側面から内側に向かって突出するリブを有することを特徴とする。
【００１２】
更に本発明の冷蔵庫は、前記リブは、前記係合爪の両端に複数形成されることを特徴とする。
【発明の効果】
【００１３】
本発明の冷蔵庫は、前面に開口が形成された冷蔵庫本体と、前記開口を閉鎖する扉と、を備え、前記扉は、前方に配置される前面板材と、前記前面板材に内側から組み込まれる内側板材と、前記前面板材と前記内側板材で囲まれる空間に充填される断熱材と、前記前面板材の側面側に配設されたハンドル部と、を有し、前記ハンドル部は、前記扉の内側に向かって窪む凹状部が形成された把持部と、前記把持部を前面から覆うカバー部と、を有し、前記カバー部の長手方向に於ける両端部付近には、係合爪が形成され、前記把持部の長手方向に於ける両端部付近には、前記カバー部の前記係合爪が係合する係合受部が形成され、前記前面板材の端部が、前記把持部と前記カバー部で挟持されることを特徴とする。従って、冷蔵庫のハンドル部を、把持部とカバー部とから構成し、カバー部の両端部に形成した係合爪を、把持部の両端部に形成した係合受部に係合させることで、ビス等の締結手段を用いること無く、ハンドル部を固定出来る。また、カバー部と把持部とで前面部材を挟持することで、前面部材とハンドル部との隙間を小さくすることが出来る。
【００１４】
更に本発明の冷蔵庫は、前記カバー部の長手方向に於ける中間部分には、中間係合爪が形成され、前記把持部の長手方向に於ける中間部分には、前記中間係合爪が係合する中間係合受部が形成されることを特徴とする。従って、ハンドル部の長手方向の中間部分で、カバー部の中間係合爪を、把持部の中間係合受部に係合させることで、カバー部と把持部との接合が強化されると共に、前面板材を挟持する効果も大きくなる。
【００１５】
更に本発明の冷蔵庫は、前記カバー部の前記中間係合爪は、第１中間係合爪と、前記第１中間係合爪とは逆方向に突出する第２中間係合爪と、を有し、前記把持部の前記中間係合受部は、前記第１中間係合爪が係合する第１中間係合受部と、前記第２中間係合爪が係合する第２中間係合受部と、を有することを特徴とする。従って、互いに逆方向に突出する第１中間係合爪および第２中間係合爪をカバー部に形成し、これらを把持部の第１中間係合受部および第２中間係合受部に係合させることで、カバー部と把持部との係合を更に強化することが出来る。
【００１６】
更に本発明の冷蔵庫は、前記カバー部は、前記係合爪の内側面から内側に向かって突出するリブを有することを特徴とする。従って、係合爪の内側にリブを形成することで、係合爪の機械的強度が向上し、カバー部を把持部に組み込む工程や、使用状況下にて係合爪が破損してしまうことが防止される。
【００１７】
更に本発明の冷蔵庫は、前記リブは、前記係合爪の両端に複数形成されることを特徴とする。従って、前記係合爪に複数のリブを形成することで、リブで係合爪を補強する効果を更に大きくすることが出来る。
【図面の簡単な説明】
【００１８】
【図１】本発明の実施形態に係る冷蔵庫を示す図であり、（Ａ）は斜視図であり、（Ｂ）は断面側面図である。
【図２】本発明の実施形態に係る冷蔵庫の扉を示す分解斜視図である。
【図３】本発明の実施形態に係る冷蔵庫の扉を示す断面図である。
【図４】本発明の実施形態に係る冷蔵庫の扉に備えられるハンドル部を構成する部材を示す図であり、（Ａ）はカバー部を示す斜視図であり、（Ｂ）は把持部を示す斜視図である。
【図５】本発明の実施形態に係る冷蔵庫を示す図であり、（Ａ）はカバー部に形成される係合爪を示す斜視図であり、（Ｂ）は把持部に形成される係合受部を示す斜視図である。
【図６】本発明の実施形態に係る冷蔵庫を示す図であり、（Ａ）はカバー部を示す斜視図であり、（Ｂ）はカバー部に形成される係合爪を示す斜視図であり、（Ｃ）は把持部を示す斜視図である。
【図７】本発明の実施形態に係る冷蔵庫を示す図であり、（Ａ）はカバー部を示す斜視図であり、（Ｂ）はカバー部に形成される他の係合爪を示す斜視図であり、（Ｃ）は把持部を示す斜視図である。
【図８】本発明の実施形態に係る冷蔵庫の製造方法を示す斜視図である。
【図９】本発明の実施形態に係る冷蔵庫の製造方法を示す図であり、（Ａ）は扉を示す斜視図であり、（Ｂ）は断面図である。
【図１０】本発明の実施形態に係る冷蔵庫の製造方法を示す図であり、（Ａ）は扉を示す斜視図であり、（Ｂ）はカバー部を把持部に係合させている状況を示す斜視図である。
【図１１】本発明の実施形態に係る冷蔵庫の製造方法を示す図であり、カバー部を把持部に係合させている状況を詳細に示す斜視図である。
【図１２】本発明の実施形態に係る冷蔵庫の製造方法を示す図であり、カバー部を把持部に組み込んでいる状況を示す斜視図である。
【図１３】背景技術にかかる冷蔵庫の扉を示す分解斜視図である。
【発明を実施するための形態】
【００１９】
以下、本発明の実施形態に係る冷蔵庫１０を図面に基づき詳細に説明する。以下の説明では、上下前後左右の各方向を適宜用いるが、左右とは冷蔵庫１０を前方から見た場合の左右を示す。
【００２０】
図１は、本発明の実施形態に係る冷蔵庫１０の概略構造を示す。図１（Ａ）は冷蔵庫１０の全体的な外観を示す斜視図であり、図１（Ｂ）は冷蔵庫１０を側方から見た断面図である。
【００２１】
図１（Ａ）に示すように、冷蔵庫１０は、冷蔵庫本体１１を備え、この冷蔵庫本体１１の内部に食品等を貯蔵する貯蔵室が形成されている。この貯蔵室として、具体的には、上段から、冷蔵室１５、上段冷凍室１７、下段冷凍室１８および野菜室１９が形成されている。ここで、上段冷凍室１７および下段冷凍室１８は何れも冷凍温度域の貯蔵室であるので、これらを冷凍室１６と総称する場合もある。
【００２２】
冷蔵庫本体１１の前面は開口しており、各貯蔵室に対応した開口は、各々扉２０等で閉鎖されている。具体的には、上段から、冷蔵室１５の開口は扉２０で閉鎖され、上段冷凍室１７の開口は扉２１で閉鎖され、下段冷凍室１８の開口は扉２２で閉鎖され、野菜室１９の開口は扉２３で閉鎖されている。
【００２３】
扉２０は、冷蔵室１５の開口を前方から閉鎖し、例えば、右端の上下端部が回転自在に冷蔵庫本体１１により支持されている。一方、扉２１、２２、２３は、冷蔵庫本体１１に対して、前後方向に引出自在に配設されている。
【００２４】
また、本形態では、扉２０の左側側面にハンドル部３２を配置している。ハンドル部３２は、扉２０の左側側面に上下方向に沿って凹状部分を形成する部材であり、ユーザは、ハンドル部３２の凹状部分に手を掛けることで、扉２０を開けることが出来る。ハンドル部３２の構成は後述する。
【００２５】
図１（Ｂ）を参照して、冷蔵庫１０の本体である冷蔵庫本体１１は、前面が開口する鋼板製の外箱１２と、この外箱１２内に間隙を持たせて配設され、前面が開口する合成樹脂製の内箱１３とから構成されている。外箱１２と内箱１３との間隙には、発泡ポリウレタン製の断熱材１４が充填発泡されている。尚、上記した扉２０等も、冷蔵庫本体１１と同様の断熱構造を採用している。
【００２６】
冷蔵室１５と、その下段に位置する冷凍室１６との間は、断熱仕切壁２４によって仕切られている。また、冷凍室１６とその下段の野菜室１９との間にも、断熱仕切壁２５が形成されている。断熱仕切壁２４、２５も、上記した冷蔵庫本体１１と同様に、断熱構造を有している。
【００２７】
冷凍室１６の後方には冷却室が形成されており、この冷却室の内部には、庫内を循環する空気を冷却するための蒸発器である冷却器２８が配置されている。
【００２８】
冷却器２８は、圧縮機２７、図示しない放熱器、図示しないキャピラリーチューブである膨張弁に、冷媒配管を介して接続されており、蒸気圧縮式の冷凍サイクル回路を構成するものである。
【００２９】
冷却器２８で冷却された冷気が、冷蔵室１５、冷凍室１６および野菜室１９を循環することで、冷蔵室１５および野菜室１９の室内温度は冷蔵温度域に保たれ、冷凍室１６の室内温度は冷凍温度域に保たれる。
【００３０】
また、冷蔵庫１０は、図示しない制御装置を備えており、この御装置は、センサ類からの入力値を基に所定の演算処理を実行し、圧縮機２７等の各構成機器を制御する。
【００３１】
図２を参照して、上記した冷蔵庫１０に備えられる扉２０の構成を詳述する。ここでは、扉２０を構成する各部材を分解して示している。
【００３２】
扉２０は、意匠面となる前面板材２９と、前面板材２９を後方から塞ぐ内側板材３０と、内側板材３０の内側面に枠状に取り付けられるガスケット３７と、内側板材３０の左側側面に取り付けられるハンドル部３２と、を主要に有している。ここでハンドル部３２は、扉２０の左側に配置されているが、扉２０の右側に配置されても良い。
【００３３】
前面板材２９は、所定形状に成形された鋼板から成る部材であり、扉２０の前面および両側面の大部分を構成する部材である。前面板材２９の左側辺付近を部分的に切り欠くことで取り付け部５４が形成されている。取り付け部５４は、ハンドル部３２が取り付けられる部分である。
【００３４】
内側板材３０は、板状に真空形成された合成樹脂材料から成り、前面板材２９を後方から塞ぐことで、扉２０の内部空間が形成されている。また、前面板材２９と内側板材３０とで囲まれる内部空間の上端および下端は、樹脂キャップ３８で塞がれる。更に、この内部空間は、上記した冷蔵庫本体１１と同様に、発泡断熱材が充填される。
【００３５】
ハンドル部３２は、前面板材２９の取り付け部５４に組み込まれて使用時にユーザが把持する把持部３３と、この把持部３３に取り付けされるカバー部３４とから構成されている。
【００３６】
図３の断面図を参照して、上記したハンドル部３２が前面板材２９に取り付けられる構成を説明する。この断面図は、図２に示したＡ−Ａ線に於ける断面図である。
【００３７】
上記したように、ハンドル部３２は、前面板材２９の左方端部に形成された取り付け部５４に組み付けられている。また、ハンドル部３２は、把持部３３とカバー部３４とから構成されている。
【００３８】
把持部３３は、接着テープなどの接着手段を用いて、その前方端部付近および後方端部付近が前面板材２９に対して接着されている。また把持部３３には、右方に窪む凹状部３９が形成されており、凹状部３９は、扉２０を開けようとするユーザが、その指先を充分に差し込める深さを有している。
【００３９】
カバー部３４は、前面板材２９に対して直接的に組み付けられるのでは無く、把持部３３に対して組み付けられている。このように、ハンドル部３２を、把持部３３およびカバー部３４から成る複数の部材から構成することで、冷蔵庫１０にカラーバリェーションを持たせることが出来る。即ち、色の異なる数種類のカバー部３４を用意し、ユーザの好みに応じた色のカバー部３４を把持部３３に取り付けることで、外観性の観点から冷蔵庫１０の価値を向上させることが出来る。カバー部３４を把持部３３に組み付ける構成に関しては、後述する。
【００４０】
本形態では、前面板材２９の左方端部は、ハンドル部３２を構成する把持部３３およびカバー部３４で把持されている。具体的には、把持部３３の前方右端部付近には、前方を向く平坦面を有する平坦部５５が形成されており、その平坦部５５の上面に、前面板材２９の左方端部が載置されている。また、カバー部３４の右端付近には、後方に向かって伸びる側面部４６が形成されており、側面部４６の後端は、前面板材２９の前面を押圧している。かかる構成により、前面板材２９の左端部分は、把持部３３の平坦部５５および、カバー部３４の側面部４６で、挟持されることになる。従って、冷蔵庫１０の使用状況下にて、前面板材２９とハンドル部３２との隙間が均一に保たれ、前面板材２９が浮き上がることが抑止される。
【００４１】
また、上記したように、ハンドル部３２は、扉２０の本体に接着固定される把持部３３と、把持部３３に前方から組み込まれるカバー部３４とから構成されるため、ビス等を使用すること無く、ハンドル部３２を扉２０本体に組み込むことが出来る。よって、冷蔵庫１０を構成する部品点数を減少させると共に、その組み立て工程を簡素化することが出来る。
【００４２】
図４を参照して、上記したハンドル部３２を構成するカバー部３４および把持部３３の構成を説明する。図４（Ａ）はカバー部３４を示す斜視図であり、図４（Ｂ）は把持部３３を示す斜視図である。
【００４３】
図４（Ａ）を参照して、カバー部３４は、上下方向に長く伸びる長尺部材であり、その両端部付近には、左方向に曲折すると共に、後方向にも曲折している曲折部が形成されている。更に、カバー部３４の両端部には、把持部３３に係合する係合爪３５が形成されている。また、カバー部３４の中間部付近にも、把持部３３の上面部分と係合するための中間係合爪が形成されるが、かかる事項に関しては後述する。
【００４４】
図４（Ｂ）を参照して、把持部３３は、上下方向に長く伸びる長尺部材であり、長手方向のほぼ全域に沿って、右方向に向かって窪む凹状部３９が形成されている。また、把持部３３の上下方向に於ける両端部には、左方向を向く側面部４２が形成されており、その側面部４２を矩形形状に部分的に切り欠くことで、係合受部３６が形成されている。係合受部３６の位置および大きさは、上記したカバー部３４に形成される係合爪３５に対応している。カバー部３４を把持部３３に組み込む際には、先ず、カバー部３４の上下方向両端部に形成された係合爪３５を、把持部３３の上下方向両端部に形成された係合受部３６に挿入する。
【００４５】
図５を参照して次に、上記した係合爪３５および係合受部３６の形状を詳述する。図５（Ａ）は、カバー部３４の端部に形成される係合爪３５を詳細に示す斜視図であり、図５（Ｂ）は、把持部３３の端部に形成される係合受部３６を示す斜視図である。
【００４６】
図５（Ａ）および図５（Ｂ）を参照して、係合爪３５は、カバー部３４本体側の主面から、右側後方に向かって鈎状に突出している。そして、カバー部３４を把持部３３に組み込んだ状況下では、カバー部３４の係合爪３５は、把持部３３の係合受部３６に、係合された状態となる。換言すると、この組み込まれた状態では、係合爪３５は全体的に係合受部に挿入されており、係合爪３５の先端部分は、把持部３３の側面部４２に右方から当接している。
【００４７】
また、図５（Ａ）に示す係合爪３５の付け根部分の前後方向に於ける長さＬ１０は、図５（Ｂ）に示す係合受部３６の前後方向に於ける長さＬ２０と略同一である。このようにすることで、係合爪３５を係合受部３６に係合させた際に、係合爪３５の付け根部分が、係合受部３６に良好に嵌合する。従って、前後方向に於ける、カバー部３４と把持部３３の位置関係が固定される。
【００４８】
更に、図５（Ａ）に示す係合爪３５の上下方向の幅Ｌ１１は、図５（Ｂ）に示す係合受部３６の幅Ｌ２１と同程度とされる。これにより、カバー部３４を把持部３３に組み込む際に、カバー部３４の係合爪３５を、把持部３３の係合受部３６に容易に挿入することが可能となる。
【００４９】
更にまた、図５（Ａ）に示す、係合爪３５の先端部と、カバー部３４の本体部分右方側面との距離Ｌ１２は、図５（Ｂ）に示す、把持部３３の側面部４２と前面板材２９とを合算した厚さＬ２２と略同一である。このようにすることで、カバー部３４の係合爪３５を、把持部３３の係合受部３６に係合させると、係合爪３５の先端部分は、把持部３３の側面部４２および前面板材２９の右方側面に密着する。従って、係合爪３５が係合受部３６に対して、更に良好に係合するようになる。
【００５０】
図５（Ａ）を参照して、係合爪３５の上下方向に於ける両端部付近を部分的に肉厚にすることで、２つのリブ４１が形成されている。ここでは、係合爪３５の先端部から付け根に至るまで、リブ４１は形成されている。このように、リブ４１を形成することで、係合爪３５の機械的強度が増し、カバー部３４と把持部３３との結合を更に強固にすることが出来る。
【００５１】
また、図５（Ａ）を参照して、係合爪３５の先端部の右方部分には、傾斜面５６が形成されている。かかる傾斜面５６を係合爪３５の先端部に形成することで、図５（Ｂ）に示す把持部３３の係合受部３６に、カバー部３４の係合爪３５をスムーズに挿入することが可能となる。
【００５２】
上記したように、カバー部３４および把持部３３の中間部分には、両者の結合を強化するための係合構造が形成されている。図６および図７を参照して、この係合構造を説明する。
【００５３】
図６を参照して、ハンドル部３２の中間部分において左方寄りに形成される係合構造を説明する。図６（Ａ）はカバー部３４を示す斜視図であり、図６（Ｂ）はカバー部３４に形成される係合爪４７Ａを拡大して示す斜視図であり、図６（Ｃ）は把持部３３を示す斜視図である。
【００５４】
図６（Ａ）を参照して、カバー部３４の外周縁部には、後方に向かって側面部４６が立設されており、その側面部４６の内面を部分的に右方に向かって突出させることで係合爪４７Ａが形成されている。ここでは、側面部４６の内面に略等間隔に形成される複数の係合爪４７Ａ、４７Ｂを図示している。係合爪４７Ａ、４７Ｂは、カバー部３４の中間部に形成される第１中間係合爪である。
【００５５】
図６（Ｂ）を参照して、係合爪４７Ａは、側面部４６の後方端部に形成されている。また、係合爪４７Ａの上面は平坦面とされており、これにより下記する把持部３３の係合受部４５Ａとの係合が強化される。また、係合爪４７Ａの側面の下方部分は、傾斜面とされており、これにより係合爪３５を容易に係合受部４５Ａに嵌め込むことが出来る。
【００５６】
図６（Ｃ）を参照して、上記したカバー部３４の係合爪４７Ａ、４７Ｂと係合する係合受部４５Ａ、４５Ｂを説明する。把持部３３の上面部４３を、上下方向に沿って部分的に壁状に突出させることで壁部４４が形成されており、この壁部４４の左方側面を部分的に窪ませることで係合受部４５Ａ、４５Ｂが形成されている。係合受部４５Ａ、４５Ｂの形状は、左方から見て、上下方向に長手方向を有する矩形形状である。係合受部４５Ａ、４５Ｂの位置および大きさは、上記したカバー部３４の係合爪４７Ａ、４７Ｂに対応している。係合受部４５Ａ、４５Ｂは、把持部３３の中間部分に形成される第１中間係合受部である。
【００５７】
このように、カバー部３４の中間部分に形成された係合爪４７Ａ、４７Ｂを、把持部３３の中間部分に形成された係合受部４５Ａ、４５Ｂに係合させることで、カバー部３４と把持部３３との結合を強化することが出来る。
【００５８】
図７を参照して、カバー部３４および把持部３３の中間部分に形成される他の係合構造に関して説明する。図７（Ａ）はカバー部３４を示す斜視図であり、図７（Ｂ）はカバー部３４に形成される係合爪４９Ｂを拡大して示す斜視図であり、図７（Ｃ）は把持部３３を示す斜視図である。
【００５９】
図７（Ａ）を参照して、カバー部３４の後方主面を、上下方向に沿って壁状に突出させることで内側面部４８が形成されている。内側面部４８は、左右方向においてカバー部３４の中間部分に形成されている。また、内側面部４８の左方側面を部分的に左方に突出させることで係合爪４９Ａ、４９Ｂが形成されている。係合爪４９Ａ、４９Ｂは、カバー部３４の中間部分に形成された第２中間係合爪である。
【００６０】
ここで、図６（Ａ）に示した係合爪４７Ａ等と、図７（Ａ）に示した係合爪４９Ａ等とでは、突出する方向が逆方向とされている。具体的には、図６（Ａ）に示した係合爪４７Ａ等は右方に向かって突出し、図７（Ａ）に示した係合爪４９Ａ等は左方に向かって突出している。このようにすることで、係合爪４７Ａ等および係合爪４９Ａ等で、把持部３３の上方部分を挟み込むように保持することが可能となり、カバー部３４と把持部３３との結合が更に強化される。
【００６１】
図７（Ｂ）を参照して、係合爪４９Ｂは、内側面部４８の左方側面に於ける後方端部から、左方に突出するように形成されている。係合爪４９Ｂの形状は、図６（Ｂ）に示した係合爪４７Ａと同様であり、その上面は平坦面とされ、側面下部は傾斜面とされている。
【００６２】
図７（Ｃ）を参照して、上記したカバー部３４の係合爪４９Ａ、４９Ｂと係合する係合受部５３Ａ、５３Ｂを説明する。把持部３３の上面部４３を、上下方向に沿って部分的に壁状に突出させることで壁部５１が形成されており、この壁部５１の右方側面を部分的に窪ませることで係合受部５３Ａ、５３Ｂが形成されている。また、係合受部５３Ａ、５３Ｂが形成される壁部５１は、図６（Ｃ）に示した係合受部４５Ａ、４５Ｂが形成される壁部４４よりも、右方に形成されている。係合受部５３Ａ、５３Ｂの形状は、右方から見て、上下方向に長手方向を有する矩形形状である。係合受部５３Ａ、５３Ｂの位置および大きさは、上記したカバー部３４の係合爪４９Ａ、４９Ｂに対応している。ここで、係合受部５３Ａ、５３Ｂは、把持部３３の中間部分に形成された、第２中間係合受部である。
【００６３】
また、図７（Ｃ）を参照して、係合受部５３Ａ、５３Ｂが形成される部分の壁部５１を部分的に前方に向かって突起させることで、突出部５２Ａ、５２Ｂが形成されている。このように、突出部５２Ａ、５２Ｂを形成することで、係合受部５３Ａ、５３Ｂが形成される壁部５１の強度が十分に確保される。
【００６４】
また、図７（Ｃ）に示す突出部５２Ａ、５２Ｂに対応して、図７（Ａ）に示すカバー部３４の主面を部分的に窪ますことで凹部５０Ａ、５０Ｂが形成されている。このようにすることで、カバー部３４を把持部３３に組み付けた際に、把持部３３の突出部５２Ａ、５２Ｂが、カバー部３４の凹部５０Ａ、５０Ｂに収納されるので、ハンドル部３２の薄型化に寄与する。また、図７（Ａ）を参照して、カバー部３４は、上下方向に細長い部材なので、反りが生じる恐れがあるが、カバー部３４に複数の凹部５０Ａ、５０Ｂ等を形成することで、その反りが抑止される。
【００６５】
次に、図８から図１２に基づいて、上記した各図も参照しつつ、上記した冷蔵庫１０に備えられる扉２０の製造方法を説明する。
【００６６】
図８の斜視図を参照して、先ず、前面板材２９の上下端部に樹脂キャップ３８をはめ込み、その後、前面板材２９に後方から内側板材３０を組み込む。また、内側板材３０の後方には、ガスケット３７を組み込む。
【００６７】
図９を参照して、次に、前面板材２９に、上記したハンドル部３２を構成する把持部３３を組み込む。図９（Ａ）は本工程を示す斜視図であり、図９（Ｂ）は図９（Ａ）のＢ−Ｂ線に於ける断面図であり、把持部３３を組み込んだ後を示している。
【００６８】
図９（Ａ）を参照して、前面板材２９の左方端部を部分的に切り欠くことで取り付け部５４が形成されており、この取り付け部５４に把持部３３が嵌め込まれる。把持部３３の組み込みは、接着テープ等の接着手段を用いて行われる。
【００６９】
図９（Ｂ）を参照して、把持部３３の前方端部には平坦部５５が形成されており、前面板材２９の左端部は、この平坦部５５の前面側主面に配置される。また、把持部３３の後端部分は、内側板材３０に対して組み込まれている。
【００７０】
上記工程にて、扉２０の内部空間が形成されたら、発泡ポリウレタン製の断熱材を、この内部空間に充填発泡する。ここで、断熱材の充填発泡は、後述するカバー部３４を組み込む前に行っても良いし、カバー部３４を組み込んだ後に行っても良い。
【００７１】
図１０から図１２を参照して、次に、上記工程で前面板材２９に嵌め込まれた把持部３３に対して、カバー部３４を組み込む。図１０（Ａ）はカバー部３４が組み込まれる前のカバー部３４を示す斜視図であり、図１０（Ｂ）は、カバー部３４の係合爪３５を、把持部３３の係合受部３６に挿入している状態を示す斜視図である。
【００７２】
図１０（Ａ）を参照して、上記したように、カバー部３４は上下方向に細長い部材であり、その上下方向両端部には係合爪３５が形成されている。また、前面板材２９に組み込まれている把持部３３の上下方向両端部には、係合受部３６が形成されている。
【００７３】
図１０（Ｂ）を参照して、カバー部３４を把持部３３に組み込む際には、先ず、カバー部３４の両端部に生成された係合爪３５を、把持部３３の係合受部３６に挿入する。カバー部３４の係合爪３５と、把持部３３の係合受部３６とは、図５を参照して上記したような形状および大きさである。従って、係合爪３５を係合受部３６に挿入した後に係合させることで、前後方向および左右方向において、カバー部３４は把持部３３に対して正確に位置決めされ、組み込まれる。
【００７４】
また、図１１に示すように、係合受部３６の周囲には、前面板材２９が配置されているので、カバー部材３４の係合爪３５の先端部は、前面板材２９に対して右方から当接するようになる。このことにより、把持部３３の周辺部分と前面板材２９との結合を強化することができる。
【００７５】
図１２を参照して、上記したように、カバー部３４の両端部を把持部３３に係合させた後は、カバー部３４の両端部を回転中心にして、カバー部３４を時計回りに回転させる。そのようにすると、カバー部３４の後面に形成された係合爪が、把持部３３の上面部分に形成された係合受部に係合し、カバー部３４と把持部３３との係合がより強化される。
【００７６】
具体的には、図６を参照して、カバー部３４の左方部分に形成された係合爪４７Ａ、４７Ｂが、把持部３３の左方部分に形成された係合受部４５Ａ、４５Ｂに係合する。また、図７を参照して、カバー部３４の右方部分に形成された係合爪４９Ａ、４９Ｂが、把持部３３の右方部分に形成された係合受部５３Ａ、５３Ｂに係合する。これにより、カバー部３４は、把持部３３に対して全体的に係合することになるので、カバー部３４と把持部３３とは強固に密着し、使用状況下で両者が分離することが防止されている。
【００７７】
また、上記のように、カバー部３４を把持部３３に組み込むことで、図３を参照して、前面板材２９の端部が、把持部３３の平坦部５５と、カバー部３４の側面部４６とで、挟持されるので、薄い鋼板から成る前面板材２９の端部が浮き上がることが抑止される。
【００７８】
以上の工程で扉２０が製造されたら、図１を参照して、他の扉と共に扉２０を冷蔵庫本体１１に組み付け、圧縮機２７等の他の部品を冷蔵庫本体１１に取り付けることで、冷蔵庫１０が製造される。
【００７９】
本発明は、上記実施形態に限定されるものではなく、その他、本発明の要旨を逸脱しない範囲で、種々の変更実施が可能である。
【符号の説明】
【００８０】
１０   冷蔵庫
１１   冷蔵庫本体
１２   外箱
１３   内箱
１４   断熱材
１５   冷蔵室
１６   冷凍室
１７   上段冷凍室
１８   下段冷凍室
１９   野菜室
２０   扉
２１   扉
２２   扉
２３   扉
２４   断熱仕切壁
２５   断熱仕切壁
２７   圧縮機
２８   冷却器
２９   前面板材
３０   内側板材
３２   ハンドル部
３３   把持部
３４   カバー部
３５   係合爪
３６   係合受部
３７   ガスケット
３８   樹脂キャップ
３９   凹状部
４１   リブ
４２   側面部
４３   上面部
４４   壁部
４５Ａ，４５Ｂ       係合受部
４６   側面部
４７Ａ，４７Ｂ       係合爪
４８   内側面部
４９Ａ，４９Ｂ       係合爪
５０Ａ，５０Ｂ       凹部
５１   壁部
５２Ａ，５２Ｂ       突出部
５３Ａ，５３Ｂ       係合受部
５４   取り付け部
５５   平坦部
５６   傾斜面
１００ 扉
１０１ 内板
１０２ 外板
１０３ 樹脂製パネル
１０４ ハンドル
１０５ ベースハンドル
１０６ 補強ハンドル
１０７ 化粧ハンドル
１０８ 固定部材
１０９ 樹脂製キャップ
【図１】
0006595304.tif 000002
【図２】
0006595304.tif 000003
【図３】
0006595304.tif 000004
【図４】
0006595304.tif 000005
【図５】
0006595304.tif 000006
【図６】
0006595304.tif 000007
【図７】
0006595304.tif 000008
【図８】
0006595304.tif 000009
【図９】
0006595304.tif 000010
【図１０】
0006595304.tif 000011
【図１１】
0006595304.tif 000012
【図１２】
0006595304.tif 000013
【図１３】
0006595304.tif 000014